(57)【要約】【課題】ワックスと薬液とを払拭面全域に亘って略均一に保持することのできる簡単な構成の革製品クリーナーを提供する。【解決手段】靴クリーナー１は、吸液性基材層１０及び熱可塑性樹脂層１１が積層された２枚の積層体２、３を、熱可塑性樹脂層１１が対向するように重ね合わせ、周縁部の三方に上面シール部４及び側面シール部５ａ、５ｂが形成された袋状をなしている。積層体２、３の隙間には開口部６に連通する指挿入部７が形成されている。積層体２、３の表面側の吸液性基材層１０には、艶出し用のワックス９が、多数の円形ドットが所定のピッチで千鳥状に並ぶドットパターンで塗布されている。また、吸液性基材層１０のワックス９が塗布されていない領域には艶出し用の薬液が含浸されている。【選択図】図１
2014042657.tif 000002
【特許請求の範囲】
【請求項１】
最外層である吸液性基材層と、最内層である熱可塑性樹脂層とを少なくとも含む積層体を重ね合わせて周縁部をヒートシールすることにより、周縁部の一部に開口部を有する指挿入部が形成された袋状の革製品クリーナーであって、
払拭面である前記吸液性基材層の外表面には、ワックスが塗布された第１の領域とワックスが塗布されていない第２の領域とが所定のピッチで交互に連続するように形成され、前記第２の領域に艶出し用の薬液を含浸させたことを特徴とする革製品クリーナー。
【請求項２】
前記第１の領域は、多数のドットが所定のピッチで千鳥状に並ぶドットパターンで形成されることを特徴とする請求項１に記載の革製品クリーナー。
【請求項３】
前記ドットパターンを構成するドット径が、前記指挿入部への指の挿入方向のドット間隔よりも大きいことを特徴とする請求項２に記載の革製品クリーナー。
【請求項４】
前記吸液性基材層に対する前記ワックスの目付量が、１〜５ｇ／ｍ2であることを特徴とする請求項１乃至請求項３に記載の革製品クリーナー。
【請求項５】
前記指挿入部は、内側から前記開口部に向かって幅が狭くなるテーパー形状であることを特徴とする請求項１乃至請求項４のいずれかに記載の革製品クリーナー。
【請求項６】
前記指挿入部の周縁部が一定幅にヒートシールされた平面視逆台形状であることを特徴とする請求項５に記載の革製品クリーナー。
【請求項７】
一枚の前記積層体を、前記熱可塑性樹脂層を内側にして二つ折りにし、折曲部以外の二辺をヒートシールして前記指挿入部が形成されることを特徴とする請求項１乃至請求項６のいずれかに記載の革製品クリーナー。
【請求項８】
前記積層体の周縁部に形成されるヒートシール部分の外側の角部が円弧状に形成されることを特徴とする請求項１乃至請求項７のいずれかに記載の革製品クリーナー。
【請求項９】
薬液バリア性を有する外装袋に個装されることを特徴とする請求項１乃至請求項８のいずれかに記載の革製品クリーナー。
【請求項１０】
請求項９に記載の革製品クリーナーの製造方法であって、
前記積層体の前記吸液性基材層に所定のパターンで前記ワックスを塗布して前記第１の領域を形成する工程と、
前記第１の領域が形成された前記積層体を、前記熱可塑性樹脂層を内側にして重ね合わせて周縁部をヒートシールして前記革製品クリーナーの半製品を製造する工程と、
一方が開口した前記外装袋に所定量の前記薬液を充填する工程と、
前記薬液が充填された前記外装袋内に、前記開口部を上にして前記革製品クリーナーの半製品を収納する工程と、
前記外装袋の開口をヒートシールして前記外装袋を密封する工程と、
を有する革製品クリーナーの製造方法。
【発明の詳細な説明】
【技術分野】
【０００１】
本発明は、靴や鞄等の革製品の汚れを払拭するとともに艶出し効果を有し、かつ、手指に汚れや薬液が付着しない携帯用の革製品クリーナーに関するものである。
【背景技術】
【０００２】
従来、携帯用のクリーナーとしては、筒状容器や取り出し口にシール片の付いた袋状容器内に、薬液を含浸させたウエットティッシュ等の払拭シートを収納したものが知られている。
【０００３】
しかし、筒状容器内に払拭シートを収納したタイプのものは容器が嵩高となり、持ち運びに不便であった。また、取り出し口にシール片の付いた袋状容器内に払拭シートを収納したタイプのものは、シール片の密着不良によって内部に収納された払拭シートが乾燥し易いという問題点があった。また、上記のような払拭シートを用いて靴や衣服等の汚れを払拭すると、使用中に汚れや薬液が手指に付着してしまい使用感が悪いという問題点もあった。
【０００４】
そこで、手指を汚すことなく靴や衣服の汚れを払拭できる携帯用クリーナーが提案されており、例えば特許文献１には、３本〜４本程度の指が挿入できる紙または布製の袋からなり、袋内部全域に合成樹脂がコーティングされ、袋外部全域に艶出し液が含浸されてなる靴磨き具が開示されている。
【０００５】
また、特許文献２には、指挿入部を備えた袋状の払拭袋体であって、払拭面が幾分幅広となった幅広部が形成され、幅広部に靴磨き等の一回分に相当するワックス、オイル等の艶出し溶剤を含浸させた溶剤面が形成されており、溶剤面が箔状となっている携帯用ペーパーワックスが開示されている。
【０００６】
また、特許文献３には、３層以上のシート片が積層配置され、内側面相互が対面関係にある２層のシート片部により清拭片収納室および手指挿入室が形成され、清拭片収納室は清拭液を含浸させた清拭片が密封状態で装着され、かつ、使用時に清拭片を表出させ開封でき、手指挿入室は使用時に手指を挿入できるように構成した携帯用クリーナーが開示されている。
【先行技術文献】
【特許文献】
【０００７】
【特許文献１】実開昭６１−１００３６４号公報
【特許文献２】実開平１−１１１５６５号公報
【特許文献３】特開２００１−１２８９２０号公報
【発明の概要】
【発明が解決しようとする課題】
【０００８】
ところで、特許文献１乃至３のような携帯用クリーナーを用いて靴や鞄等の革製品を磨く場合、クリーナーの払拭面に艶出し用のワックスを塗布しておくことが考えられる。ワックスは、革製品に擦り込んで磨くことで艶出し効果を長期間持続させることができる反面、即効性の点でやや劣る。そこで、ワックスとは別に、即効的な艶出し効果を奏する薬液を払拭面に含浸させておくことが望ましい。
【０００９】
しかしながら、一般的にワックスは撥水性であるため、払拭面のワックスを塗布した部分に水性の薬液が浸み込み難い。そのため、払拭面全域にワックスを塗布すると薬液を十分に含浸させることができないという問題点があった。また、払拭面の一部分にワックスを塗布した場合、ワックスを塗布した部分と薬液が含浸した部分とが分離してしまい、ワックスと薬液とを同時に用いて革製品を磨くことが困難であった。
【００１０】
本発明は上記問題点に鑑み、ワックスと薬液とを払拭面全域に亘って略均一に保持することのできる簡単な構成の革製品クリーナーを提供することを目的とする。
【課題を解決するための手段】
【００１１】
上記目的を達成するために本発明は、最外層である吸液性基材層と、最内層である熱可塑性樹脂層とを少なくとも含む積層体を重ね合わせて周縁部をヒートシールすることにより、周縁部の一部に開口部を有する指挿入部が形成された袋状の革製品クリーナーであって、払拭面である前記吸液性基材層の外表面には、ワックスが塗布された第１の領域とワックスが塗布されていない第２の領域とが所定のピッチで交互に連続するように形成され、前記第２の領域に艶出し用の薬液を含浸させたことを特徴としている。
【００１２】
また本発明は、上記構成の革製品クリーナーにおいて、前記第１の領域は、多数のドットが所定のピッチで千鳥状に並ぶドットパターンで形成されることを特徴としている。
【００１３】
また本発明は、上記構成の革製品クリーナーにおいて、前記ドットパターンを構成するドット径が、前記指挿入部への指の挿入方向のドット間隔よりも大きいことを特徴としている。
【００１４】
また本発明は、上記構成の革製品クリーナーにおいて、前記吸液性基材層に対する前記ワックスの目付量が、１〜５ｇ／ｍ2であることを特徴としている。
【００１５】
また本発明は、上記構成の革製品クリーナーにおいて、前記指挿入部は、内側から前記開口部に向かって幅が狭くなるテーパー形状であることを特徴としている。
【００１６】
また本発明は、上記構成の革製品クリーナーにおいて、前記指挿入部の周縁部が一定幅にヒートシールされた平面視逆台形状であることを特徴としている。
【００１７】
また本発明は、上記構成の革製品クリーナーにおいて、一枚の前記積層体を、前記熱可塑性樹脂層を内側にして二つ折りにし、折曲部以外の二辺をヒートシールして前記指挿入部が形成されることを特徴としている。
【００１８】
また本発明は、上記構成の革製品クリーナーにおいて、前記積層体の周縁部に形成されるヒートシール部分の外側の角部が円弧状に形成されることを特徴としている。
【００１９】
また本発明は、上記構成の革製品クリーナーが、薬液バリア性を有する外装袋に個装されることを特徴としている。
【００２０】
また本発明は、上記構成の革製品クリーナーの製造方法であって、前記積層体の前記吸液性基材層に所定のパターンで前記ワックスを塗布して前記第１の領域を形成する工程と、前記第１の領域が形成された前記積層体を、前記熱可塑性樹脂層を内側にして重ね合わせて周縁部をヒートシールして前記革製品クリーナーの半製品を製造する工程と、一方が開口した前記外装袋に所定量の前記薬液を充填する工程と、前記薬液が充填された前記外装袋内に、前記開口部を上にして前記革製品クリーナーを収納する工程と、前記外装袋の開口をヒートシールして前記外装袋を密封する工程と、を有する。
【発明の効果】
【００２１】
本発明の第１の構成によれば、払拭面となる吸液性基材層の外表面に、ワックスが塗布された第１の領域と薬液が含浸された第２の領域とが略均等に存在するため、ワックスと薬液の両方が革製品に擦り付けられる。従って、薬液による即効的な艶出し効果が得られるとともに、ワックスによる艶出し効果が比較的長期間に亘って持続する。
【００２２】
また、本発明の第２の構成によれば、上記第１の構成の革製品クリーナーにおいて、第１の領域を、多数のドットが所定のピッチで千鳥状に並ぶドットパターンで形成することにより、積層体をヒートシールして革製品クリーナーを製造する際にヒートシールバーに付着するワックス量が少なくなり、ヒートシール性の低下を抑制することができる。
【００２３】
また、本発明の第３の構成によれば、上記第２の構成の革製品クリーナーにおいて、ドットパターンを構成するドット径を、指挿入部への指の挿入方向のドット間隔よりも大きくすることにより、指の挿入方向において、ワックス層を構成するドットが必ず存在することになる。従って、開口部から指挿入部に指を差し入れて吸液性基材層を横方向に往復移動させて払拭する際に、ワックス層を靴の表面に確実に接触させることができる。
【００２４】
また、本発明の第４の構成によれば、上記第１乃至第３のいずれかの構成の革製品クリーナーにおいて、吸液性基材層に対する前記ワックスの目付量を、１〜５ｇ／ｍ2とすることにより、ワックスによる持続的な艶出し効果と、薬液による即効的な艶出し効果とをバランス良く発現させることができる。
【００２５】
また、本発明の第５の構成によれば、上記第１乃至第４のいずれかの構成の革製品クリーナーにおいて、指挿入部を、内側から開口部に向かって幅が狭くなるテーパー形状とすることにより、指先を下に向けて（開口部を上に向けて）払拭動作を行う際に革製品クリーナーが指から抜け落ち難くなり、使い勝手が良くなる。
【００２６】
また、本発明の第６の構成によれば、上記第５の構成の革製品クリーナーにおいて、指挿入部の周縁部が一定幅にヒートシールされた平面視逆台形状とすることにより、シール部の面積が小さくなるため、革製品クリーナーをコンパクト化できる。また、未シール部に比べて堅く、柔軟性に欠けるシール部を少なくできるため、革製品クリーナーの使用性も良くなる。
【００２７】
また、本発明の第７の構成によれば、上記第１乃至第６のいずれかの構成の革製品クリーナーにおいて、一枚の積層体を、熱可塑性樹脂層を内側にして二つ折りにし、折曲部以外の二辺をヒートシールして指挿入部を形成することにより、シール部の一つを省略できるため、革製品クリーナーをコンパクト化できる。また、未シール部に比べて堅く、柔軟性に欠けるシール部を少なくできるため、革製品クリーナーの使用性も良くなる。さらに、革製品クリーナーの製造工程も簡素化できる。
【００２８】
また、本発明の第８の構成によれば、上記第１乃至第７の構成の革製品クリーナーにおいて、積層体の周縁部に形成されるヒートシール部分の外側の角部を円弧状に形成することにより、未シール部に比べて堅いシール部の鋭利な部分がないため、シール部の鋭利な部分で指先や靴を傷付けるおそれがなくなる。
【００２９】
また、本発明の第９の構成によれば、上記第１乃至第８の構成の革製品クリーナーを、薬液バリア性を有する外装袋に個装することにより、革製品クリーナーからの薬液の蒸発や漏出を防止することができ、携帯に便利な構成となる。
【００３０】
また、本発明の第１０の構成によれば、上記第９の構成の革製品クリーナーの製造方法が、積層体の吸液性基材層に所定のパターンでワックスを塗布して第１の領域を形成する工程と、第１の領域が形成された積層体を、熱可塑性樹脂層を内側にして重ね合わせて周縁部をヒートシールして革製品クリーナーの半製品を製造する工程と、一方が開口した外装袋に所定量の薬液を充填する工程と、薬液が充填された外装袋内に、開口部を上にして革製品クリーナーの半製品を収納する工程と、外装袋の開口をヒートシールして外装袋を密封する工程と、を含むことにより、外装袋に収納された革製品クリーナーの下部から開口部に向かって吸液性基材層の第２領域に薬液が徐々に浸み込んでいくため、指挿入部に薬液が入り込むおそれがない。また、薬液の含浸工程を設ける必要がないため、製造工程を簡素化することができる。
【図面の簡単な説明】
【００３１】
【図１】本発明の第１実施形態に係る靴クリーナー１の平面図
【図２】第１実施形態の靴クリーナー１の断面図
【図３】第１実施形態の靴クリーナー１における、ワックス９の部分拡大図
【図４】吸液性基材層１０に熱可塑性樹脂層１１を積層した積層シートの断面図
【図５】図４の積層シートの吸液性基材層１０側にワックス９を形成した状態を示す断面図
【図６】薬液１５が充填された外装袋１３に、二つ折りにした靴クリーナー１の半製品を、開口部６を上向きにして収納した状態を示す側面図
【図７】外装袋１３に密封された靴クリーナー１の側面図
【図８】外装袋１３に密封された靴クリーナー１の断面図
【図９】本発明の第２実施形態に係る靴クリーナー１の平面図
【図１０】本発明の第３実施形態に係る靴クリーナー１の平面図
【図１１】本発明の第４実施形態に係る靴クリーナー１の平面図
【図１２】四角形のドットが千鳥状に形成されたワックス９のパターンの一例を示す部分拡大図
【図１３】斜めラインが所定間隔で形成されたワックス９のパターンの一例を示す部分拡大図
【発明を実施するための形態】
【００３２】
以下、図面を参照しながら本発明の靴クリーナーについて説明する。図１は、本発明の第１実施形態に係る靴クリーナー１の平面図であり、図２は、第１実施形態の靴クリーナー１の側面断面図（図１のＸＸ′矢視断面図）である。靴クリーナー１は、吸液性基材層１０及び熱可塑性樹脂層１１が積層された２枚の積層体２、３を、熱可塑性樹脂層１１が対向するように重ね合わせ、周縁部の三方に上面シール部４及び側面シール部５ａ、５ｂが形成された袋状をなしている。
【００３３】
靴クリーナー１の上面シール部４及び側面シール部５ａ、５ｂが形成されていない下辺は開口部６となっており、積層体２、３の隙間には開口部６に連通する指挿入部７が形成されている。開口部６は、２本〜３本程度の指を挿入可能な開口幅を有している。指挿入部７は、開口部６に向かって幅が狭くなるテーパー形状（逆台形状）に形成されている。また、開口部６を構成する積層体２の端縁には、積層体３の端縁よりも突出する突出部８が形成されている。
【００３４】
本実施形態では、横１００ｍｍ、縦９７ｍｍの積層体２に、横１００ｍｍ、縦９０ｍｍの積層体３を重ね合わせて、幅７ｍｍの突出部８を形成している。また、上面シール部４のシール幅は５ｍｍとし、側面シール部５ａ、５ｂのシール幅は、上面シール部４側を５ｍｍ、突出部８側を１０ｍｍとして、上面シール部４から突出部８に向かってシール幅が徐々に広くなっている。これにより、突出部８側に開口幅８０ｍｍｍの開口部６が形成されている。
【００３５】
積層体２、３の表面側の吸液性基材層１０には、艶出し用のワックス９が、多数の円形ドットが所定のピッチで千鳥状に並ぶドットパターンで塗布されている。また、吸液性基材層１０のワックス９が塗布されていない領域には艶出し用の薬液が含浸されている。
【００３６】
ワックス９は、靴クリーナー１を用いて靴を磨いたとき、靴革に擦り込まれて艶を出す機能を有する。このワックス９による艶出し効果は即効的に表れにくいが、得られた艶は比較的長時間持続する。ワックス９の材料としては、カルナバワックスが好適に用いられる。なお、ワックス９の材料はカルナバワックスに限らず、ハゼ蝋、キャンデリラ蝋、ウルシ蝋、サトウキビ蝋、パーム蝋等の植物系ワックス、蜜蝋（ビーズワックス）、スクワラン、鯨蝋、羊毛蝋（ラノリン）等の動物系ワックス、モンタンワックス、オゾケライト、セレシン等の鉱物系ワックス、パラフィンワックス、ペトロラタム等の石油系ワックス、またはポリエチレンワックス、モンタンワックス誘導体、パラフィンワックス誘導体、マイクロクリスタリンワックス誘導体等の合成ワックス等から選ばれた１種ないし２種以上を使用することができる。
【００３７】
図３は、図１におけるワックス９の部分拡大図である。ワックス９が塗布された領域（以下、第１の領域という）が狭過ぎると、ワックスの塗布量（目付量）が少なくなり、ワックスによる艶出し効果の持続性が低下する。一方、第１の領域が広過ぎると、ワックス９の塗布されていない領域（以下、第２の領域という）が狭くなるため、薬液の含浸量が減少して薬液による即効的な艶出し効果が低下する。そこで、ワックス９の目付量を１〜５ｇ／ｍ2の範囲とすることにより、ワックスによる持続的な艶出し効果と、薬液による即効的な艶出し効果とをバランス良く発現できる靴クリーナー１となる。
【００３８】
本実施形態では、ワックス９のドットの直径Ｒ１を２．３ｍｍ、横方向（上面シール部４に沿う方向）のドットの中心間距離Ｌ１を５．１ｍｍ、縦方向（側面シール部５ａ、５ｂに沿う方向）のドットの中心間距離Ｌ２を３．８ｍｍとすることにより、吸液性基材層１０に対するワックス９の目付量を３ｇ／ｍ2としている。
【００３９】
また、本実施形態の靴クリーナー１で靴を磨く際には、通常、開口部６から指挿入部７に指を差し入れて吸液性基材層１０を横方向に往復移動させる。ここで、上記のドットパターンでは、縦方向のドットの中心間距離Ｌ２がドットの直径Ｒ１の２倍よりも狭い、即ち、縦方向のドット間隔Ｌ３がドットの直径Ｒ１よりも狭いため、横方向に並ぶドット列が縦方向に隣接するドット列と重なり合う。従って、吸液性基材層１０の縦方向において、ワックス９のドット（第１の領域）が必ず存在することになるため、ワックス９を靴の表面に確実に接触させることができる。
【００４０】
吸液性基材層１０に含浸される艶出し用の薬液は、即効的に艶出し効果を発揮する反面、得られた艶が長時間持続し難い。つまり、本実施形態の靴クリーナー１は、ワックス９による遅効的、持続的な艶出し効果と、薬液による即効的な艶出し効果とを兼備している。艶出し用の薬液としては、例えばシリコン系水溶液、アボカドオイル、ホホバオイル、シダーウッドオイル、アーモンドオイル、流動パラフィン等が用いられる。
【００４１】
吸液性基材層１０の材質としては、柔軟性、伸縮性、耐薬液性、吸液性、薬液への影響等を考慮して選定すれば良く、例えば、不織布、紙、布等の多孔性繊維質が挙げられる。
【００４２】
熱可塑性樹脂層１１は、熱によって溶融して積層体２、３を相互に融着し得るものであればよく、例えば、低密度ポリエチレン、中密度ポリエチレン、高密度ポリエチレン、直鎖状（線状）低密度ポリエチレン、メタロセン触媒（シングルサイト触媒）を使用して重合したエチレン・α−オレフィン共重合体、ポリプロピレン、エチレン・酢酸ビニル共重合体、アイオノマー樹脂、エチレン−アクリル酸エチル共重合体、エチレン−アクリル酸共重合体、エチレン−メタクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマール酸等の不飽和カルボン酸で変性した酸変性ポリオレフィン系樹脂等から選ばれた１種ないし２種以上を使用することができる。
【００４３】
ここで、ワックス９の材料であるカルナバワックスの融点が低い（８０〜８５℃）ため、熱可塑性樹脂層１１として融点の高い熱可塑性樹脂を使用すると、熱可塑性樹脂層１１のヒートシール時にワックス９が溶融してヒートシールバーに付着し、ヒートシール性能が低下してしまう。そのため、なるべく融点の低い熱可塑性樹脂を用いる必要があり、線状低密度ポリエチレンが好ましい。熱可塑性樹脂層１１の厚さとしては、ヒートシール性等を考慮すると、１０μｍ〜２００μｍ程度、特に５０μｍ〜１００μｍ程度であることが好ましい。
【００４４】
なお、靴クリーナー１に要求される強度や耐薬液性等に応じて、吸液性基材層１０と熱可塑性樹脂層１１との間に、バリア層、中間層等を積層することもできる。バリア層としては、基本的には、金属箔や、金属または金属酸化物を蒸着した蒸着膜であれば使用可能であり、好ましいものとしては、アルミ箔、アルミ蒸着ポリエステルフィルム、シリカ蒸着ポリエステルフィルム等を挙げることができる。中間層としては、例えば低密度ポリエチレン、中密度ポリエチレン、高密度ポリエチレン、線状低密度ポリエチレン、ポリプロピレン、エチレン−プロピレン共重合体、エチレン−酢酸ビニル共重合体、アイオノマー樹脂、エチレン−アクリル酸エチル共重合体、エチレン−アクリル酸またはメタクリル酸共重合体、メチルペンテンポリマー、ポリブテン系樹脂、ポリ塩化ビニル系樹脂、ポリ酢酸ビニル系樹脂、ポリ塩化ビニリデン系樹脂、塩化ビニル−塩化ビニリデン共重合体、ポリ（メタ）アクリル系樹脂、ポリアクリルニトリル系樹脂、ポリスチレン系樹脂、アクリロニトリル−スチレン共重合体（ＡＳ系樹脂）、アクリロニトリル−ブタジエンスチレン共重合体（ＡＢＳ系樹脂）、ポリエステル系樹脂、ポリアミド系樹脂、ポリカーボネート系樹脂、ポリビニルアルコール系樹脂、エチレン−酢酸ビニル共重合体のケン化物、フッ素系樹脂、ジエン系樹脂、ポリアセタール系樹脂、ポリウレタン系樹脂、ニトロセルロース等の公知の樹脂フィルムないしシートを任意に選択して使用することができる。
【００４５】
積層体２、３の代表的な積層構成を例示すると、ポリエステル、ポリオレフィン、レーヨンの３種類の繊維で形成された目付量３８ｇ／ｍ2の不織布シートの片面に、押出コート法により低密度ポリエチレンを２０μｍの厚さに積層したものが挙げられる。
【００４６】
次に、本実施形態の靴クリーナー１の製造方法について説明する。先ず、吸液性基材層１０である不織布シートに熱可塑性樹脂層１１として低密度ポリエチレンを積層して、図４に示すような積層構成の積層シートを製造する。
【００４７】
次に、図５に示すように、積層シートの吸液性基材層１０側に、カルナバワックスをグラビア印刷により所定のパターン（ここではドットパターン）に印刷してワックス９を塗布する。カルナバワックスは常温で固体であるため、カルナバワックスの融点（８０〜８５℃）以上の温度（例えば９５〜１１０℃）に加熱溶融した状態で印刷する。なお、吸液性基材層１０側へワックス９を塗布する方法としては、凸版印刷、平板印刷、孔版印刷、熱転写印刷、レーザー印刷またはインクジェット印刷等、ワックス９を所定のパターンに塗布できるものであれば、グラビア印刷に限らず他の方法であっても良い。
【００４８】
次に、ロール状に巻かれた長尺の積層シートを順次繰り出すとともに、長尺方向に二つ折りにしながらスリッター（図示せず）でカットして、２枚の積層体２、３に分割する。なお、予め所定幅にスリットされた積層体２、３を別々のロールから繰り出しても良い。
【００４９】
次に、積層体２、３を、熱可塑性樹脂層１１が対向するように突出部８（図１参照）の分だけずらして重ね合わせる。次に、２枚の積層体２、３を長尺の長手方向において連続してヒートシールして上面シール部４を形成するとともに、積層体２、３の長尺の幅方向に所定間隔でヒートシールし、側面シール部５ａ、５ｂを形成する。その後、側面シール部５ａ、５ｂにおいて幅方向にカットする。
【００５０】
ヒートシールの方法としては、例えば、バーシール、回転ロールシール、ベルトシール、インパルスシール、高周波シール、超音波シール等の公知の方法で行うことができる。このようにして、未シール部（開口部６）を残して３方に上面シール部４、側面シール部５ａ、５ｂが形成された、図１に示すような靴クリーナー１の半製品を製造する。なお、靴クリーナー１の半製品とは、吸液性基材層１０の第２の領域に薬液が含浸されていない状態のものをいう。
【００５１】
次に、靴クリーナー１の半製品に薬液１５を含浸させる。具体的には、図６に示すように、３方がシールされた外装袋１３に所定量の薬液１５を充填する。そして、上面シール部４と開口部６とを合わせるように二つ折りにした靴クリーナー１の半製品を、開口部６を上向きにして外装袋１３に収納する。最後に、外装袋１３の開口をヒートシールして密封するとともに開封用ノッチ１３ａ（図７参照）を形成して製品とする。なお、靴クリーナー１の半製品に薬液１５を含浸させる方法としては上記の方法に限らず、例えば、靴クリーナー１の半製品に薬液１５を滴下する方法、或いは、靴クリーナー１の半製品を薬液１５に浸した後に、外装袋１３に充填・包装する方法、 更には、靴クリーナー１の半製品を半折して外装袋１３に挿入した後、半折した靴クリーナー１の半製品の内側に薬液１５を滴下する方法が使用可能である。
【００５２】
外装袋１３は、最外層となる基材層と、最内層となる熱可塑性樹脂層と、基材層及び熱可塑性樹脂層の間に積層される、薬液バリア性を有するバリア層から成る積層フィルムにより形成される。外装袋１３の代表的な積層構造を例示すると、二軸延伸ポリプロピレンフィルム（基材層、２０μｍ）／ドライラミネート層／アルミ箔（バリア層、７μｍ）／ドライラミネート層／無延伸ポリプロピレンフィルム（熱可塑性樹脂層、３０μｍ）を挙げることができる。なお、必要に応じて、最外層となる基材層の裏面に印刷を施すことも可能である。
【００５３】
外装袋１３内に充填された薬液１５（図６参照）は、吸液性基材層１０の毛管現象により靴クリーナー１の下端部１６から上方に向かって吸液性基材層１０の第２の領域に徐々に浸み込んでいく。薬液１５は、第２の領域全体に浸み込んだときに丁度無くなる量が充填されている。上述したように、横１００ｍｍ、縦９７ｍｍの積層体２に横１００ｍｍ、縦９０ｍｍの積層体３を重ね合わせ、目付量３ｇ／ｍ2でワックス９を塗布した靴クリーナー１の場合、薬液１５の充填量は１〜１．５ｇ／包程度が適当である。
【００５４】
なお、薬液１５は、吸液性基材層１０の表面側（ワックス９が塗布された側）から平面的に見ると第２の領域に含浸されているが、吸液性基材層１０は所定の厚みを有しており、図２に示したように、ワックス９は必ずしも吸液性基材層１０の裏面側（熱可塑性樹脂層１１）まで含浸していない。そのため、実際には薬液１５がワックス９の塗布された第１の領域の下方にも回り込んで含浸されており、それについても本明細書中では「第２の領域に薬液が含浸されている」ものに含まれるものとする。
【００５５】
図７は、外装袋１３に密封された靴クリーナー１の側面図であり、図８は、外装袋１３に密封された靴クリーナー１の側面断面図（図７のＹＹ′矢視断面図）である。靴クリーナー１を使用する際は、開封用ノッチ１３ａから外装袋１３を破断して靴クリーナー１を取り出した後、開口部６から指挿入部７に指を２〜３本挿入する。そして、積層体２側、または積層体３側を靴に押し当てて払拭する。
【００５６】
これにより、靴クリーナー１の払拭面となる吸液性基材層１０に、ワックス９が塗布された第１の領域と、薬液１５が含浸された第２の領域とが略均等に存在するため、ワックスと薬液の両方が靴に擦り付けられる。その結果、薬液１５による即効的な艶出し効果が得られるとともに、ワックス９による艶出し効果が比較的長期間に亘って持続する。
【００５７】
また、靴を履いた状態で靴クリーナー１を使用する際は、指先を下に向けて（開口部６を上に向けて）払拭動作を行うことになるが、指挿入部７が内側から開口部６に向かって幅が狭くなるテーパー形状となっているため、指挿入部７に挿入した２本ないし３本の指を僅かに外側に開くようにするだけで、指の第２関節付近がテーパー形状に引っ掛かり抜け難くなる。従って、靴クリーナー１による払拭動作中に指から抜け落ち難く、使い勝手の良い靴クリーナー１となる。
【００５８】
また、突出部８に沿って指が開口部６に案内されるため、指挿入部７への指の挿入が容易となっている。さらに、例えば積層体２側で払拭した後、指挿入部７に挿入した指の向きを反転させて積層体３側で払拭することで、靴クリーナー１の両面を使用することができる。
【００５９】
なお、図６〜図８では、開口部６が外側（突出部８が内側）となるように靴クリーナー１を二つ折りにしているが、靴クリーナー１は、積層体３よりも面積の広い積層体２側が主たる払拭面となる。そこで、外装袋１３に予め充填された薬液１５を積層体２に優先的に含浸させるために、開口部６が内側（突出部８が外側）となるように靴クリーナー１を二つ折りにすることが好ましい。
【００６０】
図９は、本発明の第２実施形態に係る靴クリーナー１の平面図である。本実施形態においては、側面シール部５ａ、５ｂのシール幅が一定となっており、靴クリーナー１の外形も指挿入部７に沿ったテーパー形状（逆台形状）となっている。靴クリーナー１の他の部分の構成や、靴クリーナー１を収納する外装袋１３の構成については第１実施形態と同様であるため説明を省略する。
【００６１】
本実施形態の構成によれば、側面シール部５ａ、５ｂの面積が小さくなるため、靴クリーナー１をコンパクト化できる。また、未シール部に比べて堅く、柔軟性に欠けるシール部を少なくできるため、靴クリーナー１の使用性も良くなる。
【００６２】
図１０は、本発明の第３実施形態に係る靴クリーナー１の平面図である。本実施形態においては、一枚の積層シートを折り曲げて積層体２、３とし、折曲部１７の両側に側面シール部５ａ、５ｂを形成して上面シール部４のない２方シールタイプの靴クリーナー１としている。靴クリーナー１の他の部分の構成や、靴クリーナー１を収納する外装袋１３の構成については第１実施形態と同様であるため説明を省略する。
【００６３】
本実施形態の構成によれば、上面シール部４を省略できるため、靴クリーナー１をコンパクト化できる。また、未シール部に比べて堅く、柔軟性に欠けるシール部を少なくできるため、靴クリーナー１の使用性も良くなる。さらに、図５に示したような構成の一枚の積層シートを二つ折りにし、側面シール部５ａ、５ｂを形成して幅方向にカットするだけで靴クリーナー１を製造できるため、製造工程も簡素化できる。
【００６４】
図１１は、本発明の第４実施形態に係る靴クリーナー１の平面図である。本実施形態においては、上面シール部４及び側面シール部５ａ、５ｂの４つの角部を円弧状にカットしている。靴クリーナー１の他の部分の構成や、靴クリーナー１を収納する外装袋１３の構成については第１実施形態と同様であるため説明を省略する。
【００６５】
本実施形態の構成によれば、未シール部に比べて堅いシール部の鋭利な部分がないため、外装袋１３からの取り出し時や指挿入部７へ指を挿入する際に、指先を傷付けるおそれがない。また、柔らかい革製の靴を払拭する際に、シール部の鋭利な部分で靴を傷付けるおそれもなくなる。
【００６６】
その他本発明は、上記各実施形態に限定されず、本発明の趣旨を逸脱しない範囲で種々の変更が可能である。例えば、上述した靴クリーナー１に形成したワックス９の印刷パターンは好ましい一例に過ぎず、図１２に示すように、四角形のドットが千鳥状に形成されたパターンとすることもできる。このとき、四角形のドットの一辺の長さ（ドット径）Ｒ２を縦方向のドット間隔Ｌ３よりも大きくしておけば、横方向に並ぶドット列が縦方向に隣接するドット列と重なり合う。これにより、図３のパターンと同様に、吸液性基材層１０の縦方向において、ワックス９のドット（第１の領域）が必ず存在することになるため、ワックス９を靴の表面に確実に接触させることができる。
【００６７】
また、図１３に示すように、ワックス９をライン状に印刷することもできる。しかし、ワックス９をライン状に印刷した場合、積層体２、３をヒートシールする際にヒートシールバーに付着するワックス量が多くなり、ヒートシール性が低下するという問題点がある。従って、図３や図１２に示したように、ワックス９をドットパターンで印刷することが好ましい。
【００６８】
また、上述した靴クリーナー１の寸法も一例であり、使用性や携帯性を考慮して任意の大きさに形成することができる。
【００６９】
また、上記各実施形態では、薬液１５を充填した外装袋１３に靴クリーナー１を一枚ずつ個装したが、薬液１５を含浸させた靴クリーナー１を開閉可能な密閉容器内に複数枚まとめて収納することもできる。
【００７０】
また、上記各実施形態では、革靴の艶出しを行う靴クリーナー１を例に挙げて説明したが、本発明は、靴クリーナーに限らず、革製の鞄や財布等、革製品の艶出しを行う革製品クリーナーにも適用できるのはもちろんである。
【産業上の利用可能性】
【００７１】
本発明は、靴や鞄、財布等の革製品の艶出しを行う携帯用の革製品クリーナーに利用可能である。本発明の利用により、ワックスによる持続的な艶出し効果と、薬液による即効的な艶出し効果とを兼備する、使い勝手が良く簡単な構造の革製品クリーナーとなる。
【符号の説明】
【００７２】
１                    靴クリーナー
２、３                積層体
４                    上面シール部（ヒートシール部）
５ａ、５ｂ            側面シール部（ヒートシール部）
６                    開口部
７                    指挿入部
８                    突出部
９                    ワックス
１０                  吸液性基材層
１１                  熱可塑性樹脂層
１３                  外装袋
１５                  薬液
１７                  折曲部
【図１】
2014042657.tif 000003
【図２】
2014042657.tif 000004
【図３】
2014042657.tif 000005
【図４】
2014042657.tif 000006
【図５】
2014042657.tif 000007
【図６】
2014042657.tif 000008
【図７】
2014042657.tif 000009
【図８】
2014042657.tif 000010
【図９】
2014042657.tif 000011
【図１０】
2014042657.tif 000012
【図１１】
2014042657.tif 000013
【図１２】
2014042657.tif 000014
【図１３】
2014042657.tif 000015